(57)【要約】【課題】簡便に配線経路を追加すること。【解決手段】配線経路に対応させた電気部品ＥＰの電気接続対象たる配線接続体１２，２２を有するバスバ１０と、配線接続体が収容される電気配線ブロック３０と、配線経路を追加させる際に用いる回路追加構造５０と、を備え、回路追加構造は、追加配線経路に対応させた追加電気部品ＥＰｘの電気接続対象たる追加端子金具Ｔｘと、追加端子金具が一端に設けられた追加経路電線５１と、追加端子金具の収容が可能な追加電気接続室６２を有する追加電気配線ブロック６０と、バスバ側と追加経路電線の他端側を電気接続させる中継バスバ５２と、中継バスバをバスバに対して電気接続させることが可能なバスバ間接続構造５３と、を備え、バスバ間接続構造は、バスバと中継バスバを電気接続させる接続具７０と、バスバが有し、接続具の接続体７１を物理的且つ電気的に接続させることが可能な被接続体１７と、を備えること。【選択図】図４
2020127314.tif 000002
【特許請求の範囲】
【請求項１】
配線経路に対応させた電気部品の電気接続対象たる配線接続体を有する導電性のバスバと、
前記配線接続体が収容される電気接続室を有する絶縁性の電気配線ブロックと、
前記配線経路を追加させる際に用いる回路追加構造と、
を備え、
前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室を有する絶縁性の追加電気配線ブロックと、前記バスバ側と前記追加経路電線の他端側を電気接続させる導電性の中継バスバと、前記中継バスバを前記バスバに対して電気接続させることが可能なバスバ間接続構造と、を備え、
前記バスバ間接続構造は、前記バスバと前記中継バスバを電気接続させる接続具と、前記バスバが有し、前記接続具の接続体を物理的且つ電気的に接続させることが可能な被接続体と、を備えることを特徴とした電気接続構造体。
【請求項２】
複数の前記バスバを備えると共に、前記バスバ毎の前記電気配線ブロックを備え、
前記回路追加構造は、前記バスバ間接続構造を前記バスバ毎に備えることを特徴とした請求項１に記載の電気接続構造体。
【請求項３】
前記中継バスバは、前記追加経路電線の前記他端に対して物理的且つ電気的に接続させる電線接続部を有することを特徴とした請求項１又は２に記載の電気接続構造体。
【請求項４】
前記中継バスバは、複数の端子部を有し、
前記追加経路電線は、前記他端に対して物理的且つ電気的に接続され、かつ、複数の前記端子部の内の１つに嵌合接続可能な中継端子金具を備えることを特徴とした請求項１又は２に記載の電気接続構造体。
【請求項５】
前記回路追加構造は、前記中継バスバに前記追加経路電線の前記他端を電気接続させることが可能な追加配線コネクタを備えることを特徴とした請求項１又は２に記載の電気接続構造体。
【請求項６】
配線経路に対応させた電気部品の電気接続対象たる配線接続体を有する導電性のバスバと、
前記配線接続体が収容される電気接続室を有する絶縁性の電気配線ブロックと、
前記電気配線ブロックが収容される絶縁性の筐体と、
前記配線経路を追加させる際に用いる回路追加構造と、
を備え、
前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室を有する絶縁性の追加電気配線ブロックと、前記バスバ側と前記追加経路電線の他端側を電気接続させる導電性の中継バスバと、前記中継バスバを前記バスバに対して電気接続させることが可能なバスバ間接続構造と、を備え、
前記バスバ間接続構造は、前記バスバと前記中継バスバを電気接続させる接続具と、前記バスバが有し、前記接続具の接続体を物理的且つ電気的に接続させることが可能な被接続体と、を備えることを特徴とした電気接続箱。
【請求項７】
配線経路に対応させた電気部品の電気接続対象たる配線接続体を有する導電性のバスバと、
前記配線接続体が収容される電気接続室を有する絶縁性の筐体と、
前記配線経路を追加させる際に用いる回路追加構造と、
を備え、
前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室と、前記バスバ側と前記追加経路電線の他端側を電気接続させる導電性の中継バスバと、前記中継バスバを前記バスバに対して電気接続させることが可能なバスバ間接続構造と、を備え、
前記バスバ間接続構造は、前記バスバと前記中継バスバを電気接続させる接続具と、前記バスバが有し、前記接続具の接続体を物理的且つ電気的に接続させることが可能な被接続体と、を備えることを特徴とした電気接続箱。
【請求項８】
配線経路に対応させた電気部品の電気接続対象たる配線接続体を有する導電性のバスバと、
前記バスバに対して電気接続される第１電線と、
前記電気部品に対して電気接続される第２電線と、
前記配線接続体が収容される電気接続室を有する絶縁性の電気配線ブロックと、
前記電気配線ブロックが収容される絶縁性の筐体と、
前記配線経路を追加させる際に用いる回路追加構造と、
を備え、
前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室を有する絶縁性の追加電気配線ブロックと、前記バスバ側と前記追加経路電線の他端側を電気接続させる導電性の中継バスバと、前記中継バスバを前記バスバに対して電気接続させることが可能なバスバ間接続構造と、を備え、
前記バスバ間接続構造は、前記バスバと前記中継バスバを電気接続させる接続具と、前記バスバが有し、前記接続具の接続体を物理的且つ電気的に接続させることが可能な被接続体と、を備えることを特徴としたワイヤハーネス。
【発明の詳細な説明】
【技術分野】
【０００１】
本発明は、電気接続構造体、電気接続箱及びワイヤハーネスに関する。
【背景技術】
【０００２】
従来、少なくとも二者間の電気接続対象物同士を電気接続させる電気接続構造体や電気接続箱が知られている（下記の特許文献１）。その電気接続構造体や電気接続箱においては、１つ又は複数の配線経路を有する導電性のバスバがバスバ収容室に収容されており、そのバスバを介して電気接続対象物同士を電気接続させる。電気接続構造体や電気接続箱は、それぞれの電気接続対象物に電気接続させる電線を備えることによって、ワイヤハーネスを構成する。
【先行技術文献】
【特許文献】
【０００３】
【特許文献１】特開平９−２５２５１８号公報
【発明の概要】
【発明が解決しようとする課題】
【０００４】
ところで、従来の電気接続構造体や電気接続箱においては、電気接続対象物を増やすなどする際に、例えば、元の配線経路に増加用の電気接続対象物の配線経路が追加された新たなバスバを作り直さなければならない。このため、従来の電気接続構造体や電気接続箱は、簡便な配線経路の追加が行えるとは云い難い。
【０００５】
そこで、本発明は、簡便に配線経路を追加することが可能な電気接続構造体、電気接続箱及びワイヤハーネスを提供することを、その目的とする。
【課題を解決するための手段】
【０００６】
上記目的を達成する為、本発明に係る電気接続構造体は、配線経路に対応させた電気部品の電気接続対象たる配線接続体を有する導電性のバスバと、前記配線接続体が収容される電気接続室を有する絶縁性の電気配線ブロックと、前記配線経路を追加させる際に用いる回路追加構造と、を備え、前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室を有する絶縁性の追加電気配線ブロックと、前記バスバ側と前記追加経路電線の他端側を電気接続させる導電性の中継バスバと、前記中継バスバを前記バスバに対して電気接続させることが可能なバスバ間接続構造と、を備え、前記バスバ間接続構造は、前記バスバと前記中継バスバを電気接続させる接続具と、前記バスバが有し、前記接続具の接続体を物理的且つ電気的に接続させることが可能な被接続体と、を備えることを特徴としている。
【０００７】
ここで、複数の前記バスバを備えると共に、前記バスバ毎の前記電気配線ブロックを備え、前記回路追加構造は、前記バスバ間接続構造を前記バスバ毎に備えることが望ましい。
【０００８】
また、前記中継バスバは、前記追加経路電線の前記他端に対して物理的且つ電気的に接続させる電線接続部を有することが望ましい。
【０００９】
また、前記中継バスバは、複数の端子部を有し、前記追加経路電線は、前記他端に対して物理的且つ電気的に接続され、かつ、複数の前記端子部の内の１つに嵌合接続可能な中継端子金具を備えることが望ましい。
【００１０】
また、前記回路追加構造は、前記中継バスバに前記追加経路電線の前記他端を電気接続させることが可能な追加配線コネクタを備えることが望ましい。
【００１１】
また、上記目的を達成する為、本発明に係る電気接続箱は、配線経路に対応させた電気部品の電気接続対象たる配線接続体を有する導電性のバスバと、前記配線接続体が収容される電気接続室を有する絶縁性の電気配線ブロックと、前記電気配線ブロックが収容される絶縁性の筐体と、前記配線経路を追加させる際に用いる回路追加構造と、を備え、前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室を有する絶縁性の追加電気配線ブロックと、前記バスバ側と前記追加経路電線の他端側を電気接続させる導電性の中継バスバと、前記中継バスバを前記バスバに対して電気接続させることが可能なバスバ間接続構造と、を備え、前記バスバ間接続構造は、前記バスバと前記中継バスバを電気接続させる接続具と、前記バスバが有し、前記接続具の接続体を物理的且つ電気的に接続させることが可能な被接続体と、を備えることを特徴としている。
【００１２】
また、上記目的を達成する為、本発明に係る電気接続箱は、配線経路に対応させた電気部品の電気接続対象たる配線接続体を有する導電性のバスバと、前記配線接続体が収容される電気接続室を有する絶縁性の筐体と、前記配線経路を追加させる際に用いる回路追加構造と、を備え、前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室と、前記バスバ側と前記追加経路電線の他端側を電気接続させる導電性の中継バスバと、前記中継バスバを前記バスバに対して電気接続させることが可能なバスバ間接続構造と、を備え、前記バスバ間接続構造は、前記バスバと前記中継バスバを電気接続させる接続具と、前記バスバが有し、前記接続具の接続体を物理的且つ電気的に接続させることが可能な被接続体と、を備えることを特徴としている。
【００１３】
また、上記目的を達成する為、本発明に係るワイヤハーネスは、配線経路に対応させた電気部品の電気接続対象たる配線接続体を有する導電性のバスバと、前記バスバに対して電気接続される第１電線と、前記電気部品に対して電気接続される第２電線と、前記配線接続体が収容される電気接続室を有する絶縁性の電気配線ブロックと、前記電気配線ブロックが収容される絶縁性の筐体と、前記配線経路を追加させる際に用いる回路追加構造と、を備え、前記回路追加構造は、追加配線経路に対応させた追加電気部品の電気接続対象たる追加端子金具と、前記追加端子金具が一端に設けられた少なくとも１本の追加経路電線と、前記追加端子金具の収容が可能な追加電気接続室を有する絶縁性の追加電気配線ブロックと、前記バスバ側と前記追加経路電線の他端側を電気接続させる導電性の中継バスバと、前記中継バスバを前記バスバに対して電気接続させることが可能なバスバ間接続構造と、を備え、前記バスバ間接続構造は、前記バスバと前記中継バスバを電気接続させる接続具と、前記バスバが有し、前記接続具の接続体を物理的且つ電気的に接続させることが可能な被接続体と、を備えることを特徴としている。
【発明の効果】
【００１４】
本発明に係る電気接続構造体は、バスバのみの配線経路で電源側と電気部品とを電気接続させることもできれば、バスバの配線経路と追加経路電線による追加配線経路とで電源側と電気部品とを電気接続させることもできる。このため、この電気接続構造体は、例えば、既存のバスバに接続具の接続体を接続し、かつ、追加端子金具を追加電気接続室に収容するだけの簡便な作業で、追加電気部品の配線経路を追加することができる。このように、本発明に係る電気接続構造体は、簡便に配線経路を追加することができるので、多様な配線経路のものを安価に構築することができる。また、本発明に係る電気接続箱及びワイヤハーネスは、その電気接続構造体を包含するものであり、この電気接続構造体によって得られるものと同様の効果を奏することができる。
【図面の簡単な説明】
【００１５】
【図１】図１は、実施形態の電気接続構造体を示す分解斜視図である。
【図２】図２は、実施形態の電気接続構造体を別角度から見た分解斜視図である。
【図３】図３は、取付状態のバスバと第１回路追加構造を抜き出して電気配線ブロックと共に示す電気接続構造体の分解斜視図である。
【図４】図４は、取付状態のバスバと第１回路追加構造を抜き出して電気配線ブロックと共に示す電気接続構造体を別角度から見た分解斜視図である。
【図５】図５は、実施形態の電気接続構造体、電気接続箱及びワイヤハーネスを示す斜視図である。
【図６】図６は、実施形態の電気接続構造体を別角度から見た斜視図である。
【図７】図７は、バスバと第１回路追加構造を示す分解斜視図である。
【図８】図８は、第１バスバを示す斜視図である。
【図９】図９は、第１回路保護部品に対しての電気接続状態を示す斜視図である。
【図１０】図１０は、第２回路保護部品に対しての電気接続状態を示す斜視図である。
【図１１】図１１は、第２バスバを示す斜視図である。
【図１２】図１２は、第２バスバを別角度から見た斜視図である。
【図１３】図１３は、第３回路保護部品に対しての電気接続状態を示す斜視図である。
【図１４】図１４は、第１電気配線ブロックの下面図である。
【図１５】図１５は、第１電気配線ブロックに対する第１バスバの取付状態を示す下面図である。
【図１６】図１６は、第２電気配線ブロックの下面図である。
【図１７】図１７は、第２電気配線ブロックに対する第２バスバの取付状態を示す下面図である。
【図１８】図１８は、第１回路追加構造の分解斜視図である。
【図１９】図１９は、追加電気配線ブロックの下面図である。
【図２０】図２０は、電気接続構造体の使用例の１つを示す斜視図である。
【図２１】図２１は、第２回路追加構造が使用された電気接続構造体について示す斜視図である。
【図２２】図２２は、第２回路追加構造を示す斜視図である。
【図２３】図２３は、第２回路追加構造の分解斜視図である。
【図２４】図２４は、第２回路追加構造の分解斜視図である。
【図２５】図２５は、第２回路追加構造が使用された電気接続構造体の使用例の１つを示す斜視図である。
【図２６】図２６は、第３回路追加構造が使用された電気接続構造体について示す斜視図である。
【図２７】図２７は、第３回路追加構造を示す斜視図である。
【図２８】図２８は、第３回路追加構造の分解斜視図である。
【図２９】図２９は、第３回路追加構造の分解斜視図である。
【図３０】図３０は、第３回路追加構造の分解斜視図である。
【図３１】図３１は、追加配線コネクタについて説明する斜視図である。
【発明を実施するための形態】
【００１６】
本発明に係る電気接続構造体、電気接続箱及びワイヤハーネスは、配線経路に対応させた電気部品の電気接続対象たる配線接続体を有する導電性のバスバと、配線接続体が収容される電気接続室を有する絶縁性の電気配線ブロックと、配線経路を追加させる際に用いる回路追加構造と、を備える。この電気接続構造体、電気接続箱及びワイヤハーネスにおいて、回路追加構造は、追加配線経路に対応させた追加電気部品の電気接続対象たる追加端子金具が一端に設けられた少なくとも１本の追加経路電線と、バスバ側と追加経路電線の他端側を電気接続させる導電性の中継バスバと、中継バスバをバスバに対して電気接続させることが可能なバスバ間接続構造と、追加端子金具の収容が可能な追加電気接続室を有する絶縁性の追加電気配線ブロックと、を備える。そして、そのバスバ間接続構造は、バスバと中継バスバを電気接続させる接続具と、バスバが有し、接続具を物理的且つ電気的に接続させることが可能な被接続体と、接続具が有し、被接続体に対して物理的且つ電気的に接続させることが可能な接続体と、を備えるものとして構成する。本発明に係る電気接続構造体、電気接続箱及びワイヤハーネスは、このように構成することによって、簡便に配線経路を追加することができる。
【００１７】
以下に、本発明に係る電気接続構造体、電気接続箱及びワイヤハーネスの実施形態を図面に基づいて詳細に説明する。尚、この実施形態によりこの発明が限定されるものではない。
【００１８】
［実施形態］
本発明に係る電気接続構造体、電気接続箱及びワイヤハーネスの実施形態の１つを図１から図２０に基づいて説明する。
【００１９】
図１から図６の符号１は、本実施形態の電気接続構造体を示す。この電気接続構造体１は、少なくとも二者間の電気接続対象物同士を電気接続させるための構造体であり、その二者間を繋ぐ１つ又は複数の配線経路を有している。例えば、この電気接続構造体１は、電源（一方の電気接続対象物）と電気部品ＥＰ（他方の電気接続対象物）とを繋ぐ配線経路を有しており、その配線経路を介して電源と電気部品とを電気接続させる。この電気接続構造体１は、電源側に電気接続させる入力側電線としての入力系統毎の第１電線Ｗｅ１と、電気部品ＥＰに電気接続させる出力側電線としての出力系統毎の第２電線Ｗｅ２と、を有する（図５）。ここで、電気部品ＥＰとは、例えば、ヒューズ等の回路保護部品（第１から第３の回路保護部品ＥＰ１，ＥＰ２，ＥＰ３）、リレー、端子金具、コネクタなどのことを指している。本実施形態では、回路基板、電子制御ユニット（いわゆるＥＣＵ）等の電子機器についても、電気部品ＥＰの一形態として考える。
【００２０】
この電気接続構造体１は、導電性のバスバＢｕを備えており、このバスバＢｕによって配線経路が形成されている（図３、図４、図６及び図７）。この例示の電気接続構造体１は、複数のバスバＢｕを備える。ここでは、そのバスバＢｕとして、第１バスバ１０と第２バスバ２０とが設けられている。
【００２１】
第１バスバ１０と第２バスバ２０は、各々、少なくとも二者間の電気接続対象物同士を電気接続させるための導電部品であり、その二者間を繋ぐ１つ又は複数の配線経路を有している。この第１バスバ１０と第２バスバ２０は、各々、金属等の導電性材料で成形される。この例示では、銅板等の金属板を母材にして板状にプレス成形されている。
【００２２】
第１バスバ１０は、電源（図示略）側に電気接続される１つの入力系統と、電気部品ＥＰに電気接続される１つ又は複数の出力系統と、を有している。この第１バスバ１０においては、１つの入力系統と１つの出力系統との間での通電経路が１つの配線経路となり、出力系統が１つの場合、１つの配線経路が形成され、出力系統が複数の場合、その出力系統毎の複数の配線経路が形成される。第１バスバ１０は、電源側に電気接続される電源接続体１１と、配線経路に対応させた電気部品ＥＰの電気接続対象たる配線接続体１２と、を有する（図３、図４、図７及び図８）。この例示の第１バスバ１０は、複数の配線接続体１２を有している。
【００２３】
この例示の電源接続体１１は、雄タブ端子形状に形成され、雌端子（図示略）に嵌入接続される。その雌端子は、第１電線Ｗｅ１（図５）の端末に物理的且つ電気的に接続されている。電源接続体１１は、その雌端子を介して第１電線Ｗｅ１に物理的且つ電気的に接続されており、この雌端子と第１電線Ｗｅ１とを介して電源側に電気接続される。
【００２４】
配線接続体１２は、端子形状に形成される。この例示の第１バスバ１０は、配線接続体１２として、第１回路保護部品ＥＰ１に電気接続させる複数の第１配線接続体１２Ａと、第２回路保護部品ＥＰ２に電気接続させる１つの第２配線接続体１２Ｂと、を有する（図３、図４、図７及び図８）。第１配線接続体１２Ａは、音叉端子形状に形成され、第１回路保護部品ＥＰ１における一方の雄タブ端子形状の端子接続部ＥＰ１ａを嵌入口から嵌入接続させる（図９）。第２配線接続体１２Ｂは、雄タブ端子形状に形成され、第２回路保護部品ＥＰ２における一方の雌端子形状の端子接続部（図示略）に嵌入接続される（図１０）。
【００２５】
尚、第１回路保護部品ＥＰ１における他方の雄タブ端子形状の端子接続部ＥＰ１ｂは、第２電線Ｗｅ２の端末に物理的且つ電気的に接続された雌端子Ｔ１に嵌入接続される（図９）。この端子接続部ＥＰ１ｂは、その雌端子Ｔ１を介して第２電線Ｗｅ２に物理的且つ電気的に接続されており、この雌端子Ｔ１と第２電線Ｗｅ２とを介して例えば負荷（アクチュエータ等の電気機器）に電気接続される。また、第２回路保護部品ＥＰ２における他方の雌端子形状の端子接続部（図示略）には、第２電線Ｗｅ２の端末に物理的且つ電気的に接続された雄端子Ｔ２が嵌入接続される（図１０）。この端子接続部は、その雄端子Ｔ２を介して第２電線Ｗｅ２に物理的且つ電気的に接続されており、この雄端子Ｔ２と第２電線Ｗｅ２とを介して例えば負荷に電気接続される。
【００２６】
この例示の第１バスバ１０は、同一平面上で略等間隔に並べられ且つ嵌入口を同じ向きに向けた複数の第１配線接続体１２Ａの組み合わせを２組有しており、それぞれの組み合わせが間隔を空けて対向配置されている。一方の組み合わせにおいては、それぞれの第１配線接続体１２Ａと同一平面上に、それぞれの第１配線接続体１２Ａの嵌入口と同じ向きに先端部（第２回路保護部品ＥＰ２の端子接続部への嵌入起点側の端部）を向けて第２配線接続体１２Ｂが配置されている。
【００２７】
この第１バスバ１０は、一方の組み合わせにおける複数の第１配線接続体１２Ａと第２配線接続体１２Ｂを同一平面上で連結させる矩形の平板状の第１連結体１３と、他方の組み合わせにおける複数の第１配線接続体１２Ａを同一平面上で連結させる矩形の平板状の第２連結体１４と、を有する（図８）。一方の組み合わせにおいては、それぞれの第１配線接続体１２Ａにおける嵌入口とは逆側の端部と第２配線接続体１２Ｂにおける先端部とは逆側の端部を第１連結体１３の第１辺部１３ａに連結させる（図８）。他方の組み合わせにおいては、それぞれの第１配線接続体１２Ａにおける嵌入口とは逆側の端部を第２連結体１４の第１辺部１４ａに連結させる（図８）。
【００２８】
この第１バスバ１０においては、第１連結体１３の第２辺部１３ｂ（第１辺部１３ａとは逆側の辺部）側と第２連結体１４の第２辺部１４ｂ（第１辺部１４ａとは逆側の辺部）側とを矩形の平板状の第３連結体１５で連結させる（図８）。但し、この例示の第２連結体１４は、後述する接続具７０を取り付けるために、第１辺部１４ａと第２辺部１４ｂとの間隔を第１連結体１３における第１辺部１３ａと第２辺部１３ｂとの間隔よりも狭めている。そこで、この第１バスバ１０においては、その狭めた分を補う大きさの矩形の平板状の突出体１６を第２連結体１４の第２辺部１４ｂと第３連結体１５との間に介在させている（図８）。その突出体１６は、第２連結体１４と同一平面上で第２辺部１４ｂの一部から突出させている。
【００２９】
第２バスバ２０は、第１バスバ１０と同じように、電源（図示略）側に電気接続される１つの入力系統と、電気部品ＥＰに電気接続される１つ又は複数の出力系統と、を有している。この第２バスバ２０においては、第１バスバ１０と同じように、１つの入力系統と１つの出力系統との間が１つの配線経路となる。第２バスバ２０は、電源側に電気接続される電源接続体２１と、配線経路に対応させた電気部品ＥＰの電気接続対象たる配線接続体２２と、を有する（図３、図４、図７、図１１及び図１２）。この例示の第２バスバ２０は、複数の配線接続体２２を有している。
【００３０】
この第２バスバ２０においても、入力系統には、入力側電線としての第１電線Ｗｅ１の端末に物理的且つ電気的に接続された雌端子（図示略）を嵌入接続させる。よって、この例示の電源接続体２１は、雄タブ端子形状に形成されている。この電源接続体２１は、その雌端子を介して第１電線Ｗｅ１に物理的且つ電気的に接続されており、この雌端子と第１電線Ｗｅ１とを介して電源側に電気接続される。
【００３１】
配線接続体２２は、端子形状に形成される。この例示の第２バスバ２０は、配線接続体２２として、第１回路保護部品ＥＰ１に電気接続させる複数の第１配線接続体２２Ａと、第２回路保護部品ＥＰ２に電気接続させる複数の第２配線接続体２２Ｂと、第３回路保護部品ＥＰ３に電気接続させる複数の第３配線接続体２２Ｃと、を有する（図３、図７、図１１及び図１２）。第１配線接続体２２Ａは、第１配線接続体１２Ａと同じように、音叉端子形状に形成され、第１回路保護部品ＥＰ１における一方の端子接続部ＥＰ１ａを嵌入口から嵌入接続させる（図９）。第２配線接続体２２Ｂは、第２配線接続体１２Ｂと同じように、雄タブ端子形状に形成され、第２回路保護部品ＥＰ２における一方の端子接続部に嵌入接続される（図１０）。第３配線接続体２２Ｃは、雄タブ端子形状に形成される。それぞれの第３配線接続体２２Ｃは、各々、第３回路保護部品ＥＰ３におけるそれぞれの一方の雌端子形状の端子接続部（図示略）に嵌入接続される（図１３）。
【００３２】
尚、第２バスバ２０側において、第１回路保護部品ＥＰ１における他方の端子接続部ＥＰ１ｂは、第１バスバ１０側と同じように、第２電線Ｗｅ２の端末に物理的且つ電気的に接続された雌端子Ｔ１に嵌入接続される（図９）。また、第２バスバ２０側において、第２回路保護部品ＥＰ２における他方の端子接続部には、第２電線Ｗｅ２の端末に物理的且つ電気的に接続された雄端子Ｔ２が嵌入接続される（図１０）。また、第２バスバ２０側において、第３回路保護部品ＥＰ３におけるそれぞれの他方の雌端子形状の端子接続部（図示略）には、各々、第２電線Ｗｅ２の端末に物理的且つ電気的に接続された雄端子Ｔ２が嵌入接続される（図１３）。この端子接続部は、その雄端子Ｔ２を介して第２電線Ｗｅ２に物理的且つ電気的に接続されており、この雄端子Ｔ２と第２電線Ｗｅ２とを介して例えば負荷に電気接続される。
【００３３】
この例示の第２バスバ２０は、同一平面上で略等間隔に並べられ且つ嵌入口を同じ向きに向けた複数の第１配線接続体２２Ａの組み合わせと、それぞれの第１配線接続体２２Ａの嵌入口と同じ向きに先端部（第２回路保護部品ＥＰ２の端子接続部や第３回路保護部品ＥＰ３の端子接続部への嵌入起点側の端部）を向けた同一平面上の複数の第２配線接続体２２Ｂ及び複数の第３配線接続体２２Ｃの組み合わせと、を有している。この第２バスバ２０においては、そのそれぞれの組み合わせが間隔を空けて対向配置されている。
【００３４】
この第２バスバ２０は、一方の組み合わせにおける複数の第１配線接続体２２Ａを同一平面上で連結させる矩形の平板状の第１連結体２３と、他方の組み合わせにおける複数（ここでは３つ）の第２配線接続体２２Ｂ及び複数（ここでは３つ）の第３配線接続体２２Ｃを同一平面上で連結させる矩形の平板状の第２連結体２４と、を有する（図１１及び図１２）。一方の組み合わせにおいては、それぞれの第１配線接続体２２Ａにおける嵌入口とは逆側の端部を第１連結体２３の第１辺部２３ａに連結させる（図１１及び図１２）。他方の組み合わせにおいては、それぞれの第２配線接続体２２Ｂにおける先端部とは逆側の端部とそれぞれの第３配線接続体２２Ｃにおける先端部とは逆側の端部を第２連結体２４の第１辺部２４ａに連結させる（図１２）。その第２連結体２４には、同一平面上で電源接続体２１が連結されている。
【００３５】
この第２バスバ２０においては、第１連結体２３の第２辺部２３ｂ（第１辺部２３ａとは逆側の辺部）側と第２連結体２４の第２辺部２４ｂ（第１辺部２４ａとは逆側の辺部）側とを矩形の平板状の第３連結体２５で連結させる（図１１及び図１２）。但し、この例示の第１連結体２３は、後述する接続具７０を取り付けるために、第１辺部２３ａと第２辺部２３ｂとの間隔を第２連結体２４における第１辺部２４ａと第２辺部２４ｂとの間隔よりも狭めている。そこで、この第２バスバ２０においては、その狭めた分を補う大きさの矩形の平板状の突出体２６を第１連結体２３の第２辺部２３ｂと第３連結体２５との間に介在させている（図１２）。その突出体２６は、第１連結体２３と同一平面上で第２辺部１３ｂの一部から突出させている。
【００３６】
この電気接続構造体１は、バスバＢｕが収容され且つ保持される絶縁性の電気配線ブロックＢｌを備える（図１から図６）。この例示の電気接続構造体１は、バスバＢｕ毎の電気配線ブロックＢｌを備える。ここでは、その電気配線ブロックＢｌとして、第１電気配線ブロック３０と第２電気配線ブロック４０とが設けられている。
【００３７】
第１電気配線ブロック３０と第２電気配線ブロック４０は、合成樹脂等の絶縁性材料で成形される。
【００３８】
第１電気配線ブロック３０は、第１バスバ１０が収容され且つ保持されるバスバ収容室３１（図２、図１４及び図１５）と、第１回路保護部品ＥＰ１が収容され且つ保持される第１回路保護部品ＥＰ１毎の第１電気部品収容室３２（図１及び図３）と、第２回路保護部品ＥＰ２が収容され且つ保持される第２電気部品収容室３３（図１及び図３）と、を有する。
【００３９】
バスバ収容室３１には、電源接続体１１を収容させる電源接続室３１ａが形成されている（図２、図１４及び図１５）。その電源接続室３１ａにおいては、挿入された雌端子に対して電源接続体１１が嵌入接続されている。
【００４０】
また、このバスバ収容室３１には、第１配線接続体１２Ａを収容させる第１配線接続体１２Ａ毎の第１電気接続室３１ｂと、第２配線接続体１２Ｂを収容させる第２電気接続室３１ｃと、が形成されている（図１４及び図１５）。
【００４１】
第１電気接続室３１ｂにおいては、第１電気部品収容室３２に収容された第１回路保護部品ＥＰ１の端子接続部ＥＰ１ａが挿入され、その挿入された端子接続部ＥＰ１ａが第１配線接続体１２Ａに嵌入接続される。一方、第２電気接続室３１ｃは、バスバ収容室３１と第２電気部品収容室３３の一部分であり、このバスバ収容室３１と第２電気部品収容室３３とで共用している部屋として設けられている。よって、この第２電気接続室３１ｃにおいては、第２回路保護部品ＥＰ２が第２電気部品収容室３３に収容されることによって、この第２回路保護部品ＥＰ２の端子接続部に対して第２配線接続体１２Ｂが嵌入接続される。
【００４２】
第２電気配線ブロック４０は、第２バスバ２０が収容され且つ保持されるバスバ収容室４１（図２、図１６及び図１７）と、第１回路保護部品ＥＰ１が収容され且つ保持される第１回路保護部品ＥＰ１毎の第１電気部品収容室４２と、第２回路保護部品ＥＰ２が収容され且つ保持される第２回路保護部品ＥＰ２毎の第２電気部品収容室４３と、第３回路保護部品ＥＰ３が収容され且つ保持される第３電気部品収容室４４と、を有する（図１及び図３）。
【００４３】
バスバ収容室４１には、電源接続体２１を収容させる電源接続室４１ａが形成されている（図２、図１６及び図１７）。その電源接続室４１ａにおいては、挿入された雌端子に対して電源接続体２１が嵌入接続されている。
【００４４】
また、このバスバ収容室４１には、第１配線接続体２２Ａを収容させる第１配線接続体２２Ａ毎の第１電気接続室４１ｂと、第２配線接続体２２Ｂを収容させる第２配線接続体２２Ｂ毎の第２電気接続室４１ｃと、それぞれの第３配線接続体２２Ｃを収容させる第３電気接続室４１ｄと、が形成されている（図１６及び図１７）。
【００４５】
第１電気接続室４１ｂにおいては、第１電気部品収容室４２に収容された第１回路保護部品ＥＰ１の端子接続部ＥＰ１ａが挿入され、その挿入された端子接続部ＥＰ１ａが第１配線接続体２２Ａに嵌入接続される。一方、第２電気接続室４１ｃは、バスバ収容室４１と第２電気部品収容室４３の一部分であり、このバスバ収容室４１と第２電気部品収容室４３とで共用している部屋として設けられている。よって、この第２電気接続室４１ｃにおいては、第２回路保護部品ＥＰ２が第２電気部品収容室４３に収容されることによって、この第２回路保護部品ＥＰ２の端子接続部に対して第２配線接続体２２Ｂが嵌入接続される。また、第３電気接続室４１ｄは、バスバ収容室４１と第３電気部品収容室４４の一部分であり、このバスバ収容室４１と第３電気部品収容室４４とで共用している部屋として設けられている。よって、この第３電気接続室４１ｄにおいては、第３回路保護部品ＥＰ３が第３電気部品収容室４４に収容されることによって、この第３回路保護部品ＥＰ３のそれぞれの端子接続部に対してそれぞれの第３配線接続体２２Ｃが嵌入接続される。
【００４６】
ここで、この電気接続構造体１は、バスバＢｕで形成されている配線経路を追加させる際に用いる（以下、「第１回路追加構造」という。）５０を備える（図１から図７、図１８及び図１９）。
【００４７】
この第１回路追加構造５０は、追加配線経路に応じた少なくとも１本の追加経路電線５１を備える（図１から図７及び図１８）。その追加経路電線５１の一端には、追加配線経路に対応させた追加電気部品ＥＰｘ（図３）の電気接続対象たる追加端子金具Ｔｘが設けられている。この例示の第１回路追加構造５０においては、その追加端子金具Ｔｘが一端に設けられた追加経路電線５１を３本備えている。ここでは、その３本の追加経路電線５１の内の２本におけるそれぞれの一端に各々追加端子金具Ｔｘとしての雌端子Ｔ１が設けられ、その内の１本における一端に追加端子金具Ｔｘとしての雄端子Ｔ２が設けられている。
【００４８】
追加電気部品ＥＰｘと追加端子金具Ｔｘは、第１電気配線ブロック３０や第２電気配線ブロック４０とは別の絶縁性の電気配線ブロック（以下、「追加電気配線ブロック」という。）６０に収容させる（図１から図６及び図１９）。よって、この第１回路追加構造５０は、その追加電気配線ブロック６０を備えている。
【００４９】
追加電気配線ブロック６０は、追加電気部品ＥＰｘが収容され且つ保持される少なくとも１つの追加電気部品収容室６１を有する（図１及び図３）。この例示の追加電気配線ブロック６０においては、その追加電気部品収容室６１として、追加電気部品ＥＰｘとしての第１回路保護部品ＥＰ１が収容され且つ保持される第１追加電気部品収容室６１Ａと、追加電気部品ＥＰｘとしての第２回路保護部品ＥＰ２が収容され且つ保持される第２追加電気部品収容室６１Ｂと、が設けられている。ここでは、その第１追加電気部品収容室６１Ａと第２追加電気部品収容室６１Ｂとが各々複数設けられており、その複数の第１追加電気部品収容室６１Ａの内の２つと複数の第２追加電気部品収容室６１Ｂの内の１つが配線経路の追加のために使用されている。
【００５０】
更に、この追加電気配線ブロック６０は、追加端子金具Ｔｘの収容が可能な追加電気接続室６２を有する（図２及び図１９）。この例示の追加電気配線ブロック６０においては、その追加電気接続室６２として、追加端子金具Ｔｘとしての雌端子Ｔ１を収容させる第１追加電気接続室６２Ａと、追加端子金具Ｔｘとしての雄端子Ｔ２を収容させる第２追加電気接続室６２Ｂと、が形成されている。ここでは、その第１追加電気接続室６２Ａと第２追加電気接続室６２Ｂとが各々複数形成されており、その複数の第１追加電気接続室６２Ａの内の２つと複数の第２追加電気接続室６２Ｂの内の１つが配線経路の追加のために使用されている。
【００５１】
第１追加電気接続室６２Ａにおいては、第１追加電気部品収容室６１Ａに収容された第１回路保護部品ＥＰ１の端子接続部ＥＰ１ａが挿入され、その挿入された端子接続部ＥＰ１ａが雌端子Ｔ１に嵌入接続される。一方、第２追加電気接続室６２Ｂは、第２追加電気部品収容室６１Ｂの一部分を共用する部屋として設けられている。よって、この第２追加電気接続室６２Ｂにおいては、第２回路保護部品ＥＰ２が第２追加電気部品収容室６１Ｂに収容されることによって、この第２回路保護部品ＥＰ２の端子接続部に対して雄端子Ｔ２が嵌入接続される。
【００５２】
更に、この第１回路追加構造５０は、バスバＢｕ側と追加経路電線５１の他端側を電気接続させる導電性の中継バスバ５２を備える（図１から図４及び図１８）。そして、この第１回路追加構造５０は、その中継バスバ５２をバスバＢｕに対して電気接続させることが可能なバスバ間接続構造５３と、その中継バスバ５２を追加経路電線５１の他端に対して電気接続させることが可能な電線接続構造５４と、を備える（図１から図４及び図１８）。本実施形態の第１回路追加構造５０は、バスバ間接続構造５３をバスバＢｕ（第１バスバ１０、第２バスバ２０）毎に備える。また、この第１回路追加構造５０は、中継バスバ５２を収容する筐体５５を備える（図１から図４、図６、図７及び図１８）。
【００５３】
中継バスバ５２は、金属等の導電性材料で成形される。この例示では、銅板等の金属板を母材にして板状にプレス成形されている。
【００５４】
バスバ間接続構造５３は、バスバＢｕと中継バスバ５２との間に設ける。このバスバ間接続構造５３は、下記の具体例に限らず、例えば、螺子止め構造や溶接構造等の別構造のものを用いてもよい。本実施形態のバスバ間接続構造５３は、バスバＢｕと中継バスバ５２を電気接続させる接続具７０を備える（図１から図４、図６、図７及び図１８）。その接続具７０は、バスバＢｕに対して物理的且つ電気的に接続させることが可能な接続体７１を備える。更に、本実施形態のバスバ間接続構造５３は、バスバＢｕが有し、接続具７０の接続体７１を物理的且つ電気的に接続させることが可能な被接続体（被接続体１７又は被接続体２７）を備える。
【００５５】
第１バスバ１０側のバスバ間接続構造５３においては、その第１バスバ１０の第２連結体１４を被接続体１７として利用する（図７及び図８）。この例示の第２連結体１４においては、突出体１６を設けず、かつ、第３連結体１５に対して第１配線接続体１２Ａ側にオフセットさせている部分を被接続体１７として利用する。この例示の第２連結体１４には、そのオフセットさせている部分が突出体１６を間に挟んで２箇所に設けられている。ここでは、その２箇所のオフセットさせている部分の内の一方を被接続体１７として利用している。
【００５６】
一方、第２バスバ２０側のバスバ間接続構造５３においては、その第２バスバ２０の第１連結体２３を被接続体２７として利用する（図７、図１１及び図１２）。この例示の第１連結体２３においては、突出体２６を設けず、かつ、第３連結体２５に対して第１配線接続体２２Ａ側にオフセットさせている部分を被接続体２７として利用する。この例示の第１連結体２３には、そのオフセットさせている部分が突出体２６を間に挟んで２箇所に設けられている。ここでは、その２箇所のオフセットさせている部分の内の一方を被接続体２７として利用している。
【００５７】
接続具７０は、接続体７１の他に、この接続体７１が一方の端末に対して物理的且つ電気的に接続された電線７２を備える（図１から図４、図６、図７及び図１８）。この接続具７０においては、接続体７１が端子金具として成形されている。例えば、その接続体７１は、電線７２の一方の端末に対して加締め圧着させることによって、この電線７２に対して物理的且つ電気的に接続させる。
【００５８】
接続体７１は、第１から第３の押圧部７１ａ−７１ｃを有しており（図１８）、その第１から第３の押圧部７１ａ−７１ｃで平板状の被接続体１７（被接続体２７）を挟み込むことによって、その被接続体１７（被接続体２７）に連結させる。第１から第３の押圧部７１ａ−７１ｃは、互いに間隔を空けて一列に並べられている。この接続体７１においては、第１及び第２の押圧部７１ａ，７１ｂが第３押圧部７１ｃを間に挟んで両端に配置されている。第１及び第２の押圧部７１ａ，７１ｂは、同一平面上で矩形の平板状の片体として形成され、被接続体１７（被接続体２７）の一方の平面に面接触状態で対向配置させる。一方、第３押圧部７１ｃは、第１及び第２の押圧部７１ａ，７１ｂに対して被接続体１７（被接続体２７）の板厚よりも小さくオフセットさせたクランク型の片体状に形成されており、被接続体１７（被接続体２７）の他方の平面に対向配置させる。この第３押圧部７１ｃは、可撓性を有する。この接続体７１は、第３押圧部７１ｃが自らの撓みに伴う反力を被接続体１７（被接続体２７）の他方の平面に作用させることによって、第１及び第２の押圧部７１ａ，７１ｂと第３押圧部７１ｃとで被接続体１７（被接続体２７）を挟持する。
【００５９】
このバスバ間接続構造５３においては、中継バスバ５２に第１電線接続部５２ａと第２電線接続部５２ｂとを設けている（図１８）。第１電線接続部５２ａは、第１バスバ１０側の電線７２の他方の端末に対して物理的且つ電気的に接続させるものとして形成されている。また、第２電線接続部５２ｂは、第２バスバ２０側の電線７２の他方の端末に対して物理的且つ電気的に接続させるものとして形成されている。この例示の第１電線接続部５２ａと第２電線接続部５２ｂは、各々、電線７２の他方の端末に対して加締め圧着させることによって、この電線７２に対して物理的且つ電気的に接続させる。
【００６０】
本実施形態の電線接続構造５４は、中継バスバ５２に設けた第３電線接続部５２ｃを利用して、その中継バスバ５２を追加経路電線５１の他端に対して電気接続させる（図１８）。その第３電線接続部５２ｃは、追加経路電線５１の他端に対して物理的且つ電気的に接続させるものとして形成する。その第３電線接続部５２ｃは、１本の追加経路電線５１の他端のみに対して物理的且つ電気的に接続させるものであってもよく、複数本の追加経路電線５１の他端を一纏めにして物理的且つ電気的に接続させるものであってもよい。また、第３電線接続部５２ｃは、少なくとも１本の追加経路電線５１の他端に対して物理的且つ電気的に接続させることが可能なもの、つまり、１本の追加経路電線５１の他端に対して物理的且つ電気的に接続させることもできれば、複数本の追加経路電線５１の他端を一纏めにして物理的且つ電気的に接続させることもできるものであってもよい。ここでは、複数本の追加経路電線５１の他端を一纏めにして物理的且つ電気的に接続させるものとして第３電線接続部５２ｃが形成されている。この例示の第３電線接続部５２ｃは、３本の追加経路電線５１の他端に対して加締め圧着させることによって、それぞれの追加経路電線５１に対して物理的且つ電気的に接続させる。
【００６１】
筐体５５は、互いに嵌合される第１筐体部材５５Ａと第２筐体部材５５Ｂとを備える（図１８）。この筐体５５においては、第１筐体部材５５Ａと第２筐体部材５５Ｂとを嵌合させることで内部空間が形成される。この筐体５５においては、その内部空間に中継バスバ５２が収容される。よって、この筐体５５においては、それぞれの追加経路電線５１とそれぞれの電線７２とが内部空間から外方に引き出されている。
【００６２】
また更に、この第１回路追加構造５０は、被接続体（被接続体１７又は被接続体２７）及び接続体７１が収容されると共に物理的且つ電気的に接続される連結室５６を備える（図１４から図１７）。この例示では、第１電気配線ブロック３０と第２電気配線ブロック４０とに各々連結室５６が設けられている。第１電気配線ブロック３０においては、第１配線接続体１２Ａが収容される第１電気接続室３１ｂを連結室５６として利用する。ここでは、互いに連なる３つの第１電気接続室３１ｂを連結室５６として利用し、それぞれの第１電気接続室３１ｂに第１から第３の押圧部７１ａ−７１ｃを１つずつ収容させる。また、第２電気配線ブロック４０においては、第１配線接続体２２Ａが収容される第１電気接続室４１ｂを連結室５６として利用する。ここでは、互いに連なる３つの第１電気接続室４１ｂを連結室５６として利用し、それぞれの第１電気接続室４１ｂに第１から第３の押圧部７１ａ−７１ｃを１つずつ収容させる。
【００６３】
以上示した電気接続構造体１は、その使用例として、第１バスバ１０のみの配線経路で電源側と電気部品ＥＰとを電気接続させることもできれば、第２バスバ２０のみの配線経路で電源側と電気部品ＥＰとを電気接続させることもできれば、第１バスバ１０と第２バスバ２０のそれぞれの配線経路で電源側と電気部品ＥＰとを電気接続させることもできる（図２０）。また、この電気接続構造体１は、その使用例として、第１バスバ１０の配線経路と追加経路電線５１による追加配線経路とで電源側と電気部品ＥＰとを電気接続させることもできれば、第２バスバ２０の配線経路と追加経路電線５１による追加配線経路とで電源側と電気部品ＥＰとを電気接続させることもできる。そして、この電気接続構造体１は、その使用例として、第１バスバ１０及び第２バスバ２０のそれぞれの配線経路と追加経路電線５１による追加配線経路とで電源側と電気部品ＥＰとを電気接続させることもできる（図５）。
【００６４】
例えば、この電気接続構造体１は、第１回路保護部品ＥＰ１の配線経路を追加したい場合（図５）、第１バスバ１０と第２バスバ２０の内の少なくとも一方に接続体７１を接続し、かつ、追加端子金具Ｔｘとしての雌端子Ｔ１を追加電気配線ブロック６０の第１追加電気接続室６２Ａに収容するだけの簡便な作業で、第１回路保護部品ＥＰ１の配線経路を追加することができる。更に、この電気接続構造体１は、第２回路保護部品ＥＰ２の配線経路を追加したい場合（図５）、第１バスバ１０と第２バスバ２０の内の少なくとも一方に接続体７１を接続し、かつ、追加端子金具Ｔｘとしての雄端子Ｔ２を追加電気配線ブロック６０の第２追加電気接続室６２Ｂに収容するだけの簡便な作業で、第２回路保護部品ＥＰ２の配線経路を追加することができる。このように、本実施形態の電気接続構造体１は、簡便に配線経路を追加することができる。よって、この電気接続構造体１は、多様な配線経路のものを安価に構築することができる。
【００６５】
更に、この電気接続構造体１は、第１回路追加構造５０を用いることによって、第１バスバ１０と第２バスバ２０とを電気接続させることもできる。よって、この電気接続構造体１は、簡便に回路構成を変更することができる。
【００６６】
ここで、この電気接続構造体１は、第１電線Ｗｅ１や第２電線Ｗｅ２を第１電気配線ブロック３０や第２電気配線ブロック４０の外方に引き出させることによって、その第１電線Ｗｅ１や第２電線Ｗｅ２と共にワイヤハーネスＷＨを構成する（図５）。また、この電気接続構造体１は、第１電気配線ブロック３０と第２電気配線ブロック４０と追加電気配線ブロック６０を絶縁性の筐体Ｂ０に収容し且つ保持させることによって、電気接続箱Ｂを構成する（図５）。そして、この電気接続構造体１は、その筐体Ｂ０から第１電線Ｗｅ１や第２電線Ｗｅ２を外方に引き出させることによって、その筐体Ｂ０も含んだワイヤハーネスＷＨを構成する（図５）。その電気接続箱ＢやワイヤハーネスＷＨは、電気接続構造体１を包含するものであり、この電気接続構造体１によって得られるものと同様の効果を奏することができる。
【００６７】
尚、電気接続箱Ｂにおいては、筐体Ｂ０が第１電気配線ブロック３０及び第２電気配線ブロック４０と一体になって成形された１つの部品として用意されたものであってもよい。この場合の筐体Ｂ０は、第１配線接続体１２Ａが収容される第１電気接続室３１ｂと、第２配線接続体１２Ｂが収容される第２電気接続室３１ｃと、第１配線接続体２２Ａが収容される第１電気接続室４１ｂと、第２配線接続体２２Ｂが収容される第２電気接続室４１ｃと、第３配線接続体２２Ｃが収容される第３電気接続室４１ｄと、を有している。更に、この筐体Ｂ０は、追加端子金具Ｔｘとしての雌端子Ｔ１の収容が可能な第１追加電気接続室６２Ａと、追加端子金具Ｔｘとしての雄端子Ｔ２の収容が可能な第２追加電気接続室６２Ｂと、を有している。
【００６８】
ところで、この電気接続構造体１、電気接続箱Ｂ及びワイヤハーネスＷＨにおいては、第１回路追加構造５０を次のような回路追加構造（以下、「第２回路追加構造」という。）１５０に置き換えてもよい（図２１から図２５）。ここで示す第２回路追加構造１５０は、先に示した第１回路追加構造５０において、中継バスバ５２とバスバ間接続構造５３と電線接続構造５４と筐体５５を下記の中継バスバ１５２とバスバ間接続構造１５３と電線接続構造１５４と筐体１５５に置き換えたものである（図２３）。この第２回路追加構造１５０においては、先の第１回路追加構造５０と同じ連結室５６が使用される。
【００６９】
中継バスバ１５２は、金属等の導電性材料で成形される。この例示では、銅板等の金属板を母材にして板状にプレス成形されている。この中継バスバ１５２は、先に示した中継バスバ５２において、後述する接続具１７０の電線７２に対する接続構造と追加経路電線５１に対する接続構造（電線接続構造１５４）とを後述するが如く変更したものである。
【００７０】
バスバ間接続構造１５３は、先に示したバスバ間接続構造５３において中継バスバ１５２と接続具７０との間の接続構造を変更したものであり、バスバＢｕと中継バスバ１５２を電気接続させる接続具１７０を備える（図２１から図２５）。その接続具１７０は、先の接続具７０と同様の接続体７１と電線７２とを有している。よって、この接続具１７０においては、その接続体７１がバスバＢｕの被接続体（被接続体１７，２７）に対して物理的且つ電気的に接続される。
【００７１】
一方、この接続具１７０は、電線７２の他方の端末に対して物理的且つ電気的に接続された第１中継端子金具１７３を備えており、その第１中継端子金具１７３を介して中継バスバ１５２に電気接続させる（図２４）。よって、このバスバ間接続構造１５３は、中継バスバ１５２に設けた端子部（第１端子部１５２ａ又は第２端子部１５２ｂ）を備える（図２４）。この例示の中継バスバ１５２には、タブ型の雄端子形状の第１端子部１５２ａと、タブ型の雄端子形状の第２端子部１５２ｂと、が形成されている。一方、第１中継端子金具１７３には、その第１端子部１５２ａ又は第２端子部１５２ｂを嵌入接続させることが可能な雌端子部１７３ａが形成されている。この第１中継端子金具１７３は、電線７２の他方の端末に対して加締め圧着させることによって、この電線７２に対して物理的且つ電気的に接続させる。
【００７２】
電線接続構造１５４は、中継バスバ１５２に設けた第３端子部１５２ｃと、この第３端子部１５２ｃに追加経路電線５１の他端を電気接続させる第２中継端子金具１８０と、を備える（図２４）。
【００７３】
この例示の第３端子部１５２ｃは、タブ型の雄端子形状に形成されている。この例示の中継バスバ１５２は、その第３端子部１５２ｃを複数有する。その第３端子部１５２ｃは、例えば、想定される追加配線経路の最大本数分だけ設ける。ここでは、３つの第３端子部１５２ｃを有している。
【００７４】
第２中継端子金具１８０は、追加経路電線５１が備えるものとして、この追加経路電線５１の他端に対して予め物理的且つ電気的に接続させておく。この第２中継端子金具１８０は、追加経路電線５１の他端に対して加締め圧着させることによって、この追加経路電線５１に対して物理的且つ電気的に接続させる。そして、この第２中継端子金具１８０は、複数の第３端子部１５２ｃの内の１つに嵌合接続可能なものとして成形されている。よって、この第２中継端子金具１８０には、１つの第３端子部１５２ｃを嵌入接続させる雌端子部１８１が形成されている（図２４）。
【００７５】
筐体１５５は、互いに嵌合される第１筐体部材１５５Ａと第２筐体部材１５５Ｂとを備える（図２３）。この筐体１５５は、第１筐体部材１５５Ａと第２筐体部材１５５Ｂとを嵌合させることで内部空間が形成される。この筐体１５５においては、その内部空間に中継バスバ１５２が収容される。更に、その内部空間には、第１バスバ１０側の第１中継端子金具１７３と、第２バスバ２０側の第１中継端子金具１７３と、それぞれの追加経路電線５１の第２中継端子金具１８０と、が収容される。よって、この筐体１５５においては、それぞれの追加経路電線５１とそれぞれの電線７２とが内部空間から外方に引き出されている。
【００７６】
電気接続構造体１は、このような第２回路追加構造１５０を用いたとしても、先の第１回路追加構造５０と同様の使用例で電源側と電気部品ＥＰとを電気接続させることができる。従って、この場合においても、電気接続構造体１は、簡便に配線経路を追加することができるので、多様な配線経路のものを安価に構築することができる。
【００７７】
更に、この第２回路追加構造１５０は、中継バスバ１５２と追加経路電線５１との間において、第３端子部１５２ｃと雌端子部１８１とによる簡便な端子接続構造を採っている。従って、この電気接続構造体１は、先の第１回路追加構造５０を用いた場合よりも簡便に配線経路を追加することができるので、多様な配線経路のものをより安価に構築することができる。
【００７８】
また更に、この第２回路追加構造１５０を用いた場合には、中継バスバ１５２における複数の第３端子部１５２ｃの内の少なくとも１つに追加経路電線５１を電気接続させることも容易に実現可能である。例えば、図２５には、１本の追加経路電線５１のみを電気接続させた使用例を示している。この電気接続構造体１は、このような使用形態も可能にするものであるので、より簡便に配線経路を追加することができ、多様な配線経路のものをより安価に構築することができる。
【００７９】
また更に、この電気接続構造体１は、第２回路追加構造１５０を用いることによって、第１バスバ１０と第２バスバ２０とを電気接続させることもできる。よって、この電気接続構造体１は、簡便に回路構成を変更することができる。
【００８０】
続いて、この電気接続構造体１、電気接続箱Ｂ及びワイヤハーネスＷＨにおいては、その第２回路追加構造１５０を次のような回路追加構造（以下、「第３回路追加構造」という。）２５０に置き換えてもよい（図２６から図３０）。ここで示す第３回路追加構造２５０は、先に示した第２回路追加構造１５０において、中継バスバ１５２と電線接続構造１５４と筐体１５５を下記の中継バスバ２５２と電線接続構造２５４と筐体２５５に置き換えたものである（図２９）。この第３回路追加構造２５０においては、先の第２回路追加構造１５０（第１回路追加構造５０）と同じ連結室５６が使用される。
【００８１】
中継バスバ２５２は、金属等の導電性材料で成形される。この例示では、銅板等の金属板を母材にして板状にプレス成形されている。この中継バスバ２５２は、先に示した中継バスバ１５２において、追加経路電線５１に対する接続構造（電線接続構造２５４）を後述するが如く変更したものである。よって、この中継バスバ２５２には、第１中継端子金具１７３の雌端子部１７３ａに嵌入接続させることが可能な第１端子部２５２ａと第２端子部２５２ｂとが形成される（図３０）。その第１端子部２５２ａと第２端子部２５２ｂは、先の中継バスバ１５２の第１端子部１５２ａ及び第２端子部１５２ｂと同様の形状のものとして形成されている。
【００８２】
この第３回路追加構造２５０は、その中継バスバ２５２に追加経路電線５１の他端を電気接続させることが可能な追加配線コネクタ２８１を備える（図２６から図３０）。その追加配線コネクタ２８１は、追加経路電線５１の他端に取り付けられる。ここで示す電線接続構造２５４は、その追加配線コネクタ２８１を備えており、この追加配線コネクタ２８１を介して中継バスバ２５２に追加経路電線５１を電気接続させるコネクタ接続構造として構成する。よって、この電線接続構造２５４は、その追加配線コネクタ２８１が嵌合接続される中継コネクタ２８２を中継バスバ２５２側に備える（図２６から図２８）。
【００８３】
追加配線コネクタ２８１は、追加経路電線５１の他端に対して物理的且つ電気的に接続された端子金具（以下、「接続端子金具」という。）２８１ａと、この接続端子金具２８１ａが内方に収容されたコネクタハウジング２８１ｂと、を備える（図３１）。
【００８４】
一方、中継コネクタ２８２は、中継バスバ２５２に設け、接続端子金具２８１ａの端子部（図示略）に嵌合接続させることが可能な第３端子部２５２ｃ（図２９及び図３０）と、この第３端子部２５２ｃが内方に収容されたコネクタハウジング２８２ａ（図２７及び図２８）と、を備える。そのコネクタハウジング２８２ａは、筐体２５５の一部分として形成されている。
【００８５】
このコネクタ接続構造において、追加配線コネクタ２８１と中継コネクタ２８２は、その内の一方が雌コネクタとして構成され、その内の他方が雄コネクタとして構成される。ここでは、雌コネクタとして構成された追加配線コネクタ２８１と、雄コネクタとして構成された中継コネクタ２８２と、を例示している。よって、この例示のコネクタ接続構造においては、第３端子部２５２ｃが軸状の雄端子形状として形成され、この第３端子部２５２ｃを嵌入接続させる雌端子形状となるように接続端子金具２８１ａの端子部が形成されている。そして、この例示のコネクタ接続構造においては、追加配線コネクタ２８１を嵌入接続させるコネクタ収容室２８２ｂが中継コネクタ２８２のコネクタハウジング２８２ａに形成されている（図２８）。そのコネクタ収容室２８２ｂには、第３端子部２５２ｃが収容される。
【００８６】
ここで、追加配線コネクタ２８１は、例えば、追加経路電線５１毎に取り付けられるものであってもよい。この場合の追加配線コネクタ２８１は、１本の追加経路電線５１の他端に接続された１つの接続端子金具２８１ａを備える。その接続端子金具２８１ａは、１本の追加経路電線５１の他端に対して物理的且つ電気的に接続された１つの電線接続部と、１つの第３端子部２５２ｃに嵌合接続させることが可能な１つの端子部と、を有する（図示略）。この場合の中継コネクタ２８２においては、１つのコネクタ収容室２８２ｂに１つの第３端子部２５２ｃが収容されており、その第３端子部２５２ｃとコネクタ収容室２８２ｂの組み合わせが少なくとも１組設けられている。このコネクタ接続構造においては、中継コネクタ２８２のコネクタ収容室２８２ｂに追加配線コネクタ２８１を嵌入させ、その追加配線コネクタ２８１の接続端子金具２８１ａの端子部に中継コネクタ２８２の第３端子部２５２ｃを嵌入接続させることによって、中継バスバ２５２と１本の追加経路電線５１とを電気接続させる。
【００８７】
また、追加配線コネクタ２８１は、複数本の追加経路電線５１が纏めて取り付けられるものであってもよい。この場合の追加配線コネクタ２８１は、例えば、追加経路電線５１毎の接続端子金具２８１ａを備えるものであってもよく、それぞれの追加経路電線５１の他端が接続された１つの接続端子金具２８１ａを備えるものであってもよい。前者の追加配線コネクタ２８１においては、コネクタハウジング２８１ｂが接続端子金具２８１ａ毎の端子収容室（図示略）を有しており、それぞれの端子収容室に接続端子金具２８１ａが１つずつ収容される。後者の追加配線コネクタ２８１においては、１つの接続端子金具２８１ａが複数の電線接続部と複数の端子部とを有しており、かつ、コネクタハウジング２８１ｂがその端子部毎の端子収容室（図示略）を有している。この後者の追加配線コネクタ２８１においては、それぞれの端子収容室に接続端子金具２８１ａの端子部が１つずつ収容される。
【００８８】
この種の追加配線コネクタ２８１は、追加配線経路の最大本数よりも少ない本数の追加経路電線５１が取り付けられるものとして構成することができる。この場合の中継コネクタ２８２においては、その追加配線コネクタ２８１毎のコネクタ収容室２８２ｂが設けられており、コネクタ収容室２８２ｂ毎に複数の第３端子部２５２ｃが収容される。このコネクタ接続構造においては、中継コネクタ２８２のコネクタ収容室２８２ｂに追加配線コネクタ２８１を嵌入させ、その追加配線コネクタ２８１のそれぞれの接続端子金具２８１ａの端子部（又は１つの接続端子金具２８１ａのそれぞれの端子部）に中継コネクタ２８２のそれぞれの第３端子部２５２ｃを嵌入接続させることによって、中継バスバ２５２と複数本の追加経路電線５１とを電気接続させる。
【００８９】
一方、この種の追加配線コネクタ２８１は、追加配線経路の最大本数分の追加経路電線５１が取り付けられるものとして構成することができる。この場合の中継コネクタ２８２においては、１つのコネクタ収容室２８２ｂに追加配線経路の最大本数分の第３端子部２５２ｃが収容される。このコネクタ接続構造においては、中継コネクタ２８２のコネクタ収容室２８２ｂに追加配線コネクタ２８１を嵌入させ、その追加配線コネクタ２８１のそれぞれの接続端子金具２８１ａの端子部（又は１つの接続端子金具２８１ａのそれぞれの端子部）に中継コネクタ２８２のそれぞれの第３端子部２５２ｃを嵌入接続させることによって、中継バスバ２５２と追加配線経路の最大本数分の追加経路電線５１とを電気接続させる。ここでは、この場合を図示と共に例示している。但し、追加配線コネクタ２８１は、必要とされる追加配線経路の本数如何で、必ずしも追加配線経路の最大本数分の追加経路電線５１が取り付けられていなくてもよい。
【００９０】
この例示の追加配線コネクタ２８１は、５本の追加経路電線５１が取り付けられるものであり、５つの接続端子金具２８１ａ又は５つの端子部を有する１つの接続端子金具２８１ａが設けられている。また、この例示の中継コネクタ２８２は、５つの第３端子部２５２ｃが収容された１つのコネクタ収容室２８２ｂを有している。
【００９１】
筐体２５５は、互いに嵌合される第１筐体部材２５５Ａと第２筐体部材２５５Ｂとを備える（図２９）。この筐体２５５は、第１筐体部材２５５Ａと第２筐体部材２５５Ｂとを嵌合させることで内部空間が形成される。この筐体２５５においては、その内部空間に、中継バスバ２５２と、第１バスバ１０側の第１中継端子金具１７３と、第２バスバ２０側の第１中継端子金具１７３と、が収容される。更に、この筐体２５５においては、その内部空間の一部分をコネクタ収容室２８２ｂとするコネクタハウジング２８２ａが形成されており、そのコネクタ収容室２８２ｂに追加配線コネクタ２８１が収容される。よって、この筐体２５５においては、それぞれの追加経路電線５１とそれぞれの電線７２とが内部空間から外方に引き出されている。
【００９２】
電気接続構造体１は、このような第３回路追加構造２５０を用いたとしても、先の第１回路追加構造５０や第２回路追加構造１５０と同様の使用例で電源側と電気部品ＥＰとを電気接続させることができる。従って、この場合においても、電気接続構造体１は、簡便に配線経路を追加することができるので、多様な配線経路のものを安価に構築することができる。
【００９３】
更に、この第３回路追加構造２５０は、中継バスバ２５２と追加経路電線５１との間において、追加配線コネクタ２８１と中継コネクタ２８２とによる簡便なコネクタ接続構造を採っている。従って、この電気接続構造体１は、先の第１回路追加構造５０又は第２回路追加構造１５０を用いた場合よりも簡便に配線経路を追加することができるので、多様な配線経路のものをより安価に構築することができる。
【００９４】
また更に、この第３回路追加構造２５０を用いた場合には、追加配線コネクタ２８１に取り付ける追加経路電線５１の本数を追加配線経路に応じて増減させることができる。よって、この電気接続構造体１は、この点でも、より簡便に配線経路を追加することができ、多様な配線経路のものをより安価に構築することができる。
【００９５】
また更に、この電気接続構造体１は、第３回路追加構造２５０を用いることによって、第１バスバ１０と第２バスバ２０とを電気接続させることもできる。よって、この電気接続構造体１は、簡便に回路構成を変更することができる。
【符号の説明】
【００９６】
１  電気接続構造体
１０  第１バスバ
１２  配線接続体
１２Ａ  第１配線接続体
１２Ｂ  第２配線接続体
１７  被接続体
２０  第２バスバ
２２  配線接続体
２２Ａ  第１配線接続体
２２Ｂ  第２配線接続体
２２Ｃ  第３配線接続体
２７  被接続体
３０  第１電気配線ブロック
３１ｂ  第１電気接続室
３１ｃ  第２電気接続室
４０  第２電気配線ブロック
４１ｂ  第１電気接続室
４１ｃ  第２電気接続室
４１ｄ  第３電気接続室
５０  第１回路追加構造
５１  追加経路電線
５２  中継バスバ
５２ｃ  第３電線接続部（電線接続部）
５３  バスバ間接続構造
５５  筐体
６０  追加電気配線ブロック
６２  追加電気接続室
６２Ａ  第１追加電気接続室
６２Ｂ  第２追加電気接続室
７０  接続具
７１  接続体
１５０  第２回路追加構造
１５２  中継バスバ
１５２ｃ  第３端子部（端子部）
１５３  バスバ間接続構造
１５５  筐体
１７０  接続具
１８０  第２中継端子金具（中継端子金具）
２５０  回路追加構造
２５２  中継バスバ
２５２ｃ  第３端子部（端子部）
２５５  筐体
２８１  追加配線コネクタ
Ｂ  電気接続箱
Ｂ０  筐体
ＥＰ  電気部品
ＥＰｘ  追加電気部品
Ｔｘ  追加端子金具
Ｗｅ１  第１電線
Ｗｅ２  第２電線
ＷＨ  ワイヤハーネス
【図１】
2020127314.tif 000003
【図２】
2020127314.tif 000004
【図３】
2020127314.tif 000005
【図４】
2020127314.tif 000006
【図５】
2020127314.tif 000007
【図６】
2020127314.tif 000008
【図７】
2020127314.tif 000009
【図８】
2020127314.tif 000010
【図９】
2020127314.tif 000011
【図１０】
2020127314.tif 000012
【図１１】
2020127314.tif 000013
【図１２】
2020127314.tif 000014
【図１３】
2020127314.tif 000015
【図１４】
2020127314.tif 000016
【図１５】
2020127314.tif 000017
【図１６】
2020127314.tif 000018
【図１７】
2020127314.tif 000019
【図１８】
2020127314.tif 000020
【図１９】
2020127314.tif 000021
【図２０】
2020127314.tif 000022
【図２１】
2020127314.tif 000023
【図２２】
2020127314.tif 000024
【図２３】
2020127314.tif 000025
【図２４】
2020127314.tif 000026
【図２５】
2020127314.tif 000027
【図２６】
2020127314.tif 000028
【図２７】
2020127314.tif 000029
【図２８】
2020127314.tif 000030
【図２９】
2020127314.tif 000031
【図３０】
2020127314.tif 000032
【図３１】
2020127314.tif 000033